(57)【要約】【課題】発光素子の位置合わせが容易な基板の取付け構造を提供する。【解決手段】回路主基板１０には、円形開口部１１ｂと、それぞれ円形開口部１１ｂから径方向に遠ざかるように延在する長穴部１１ａとを含む開口部１１が形成されている。立ち基板１は、立ち基板本体１ａ、幅広部１ｃおよび首部１ｂを有している。幅広部１ｃは、長穴部１１ａおよび円形開口部１１ｂに挿通される所定の幅を有している。首部１ｂは立ち基板本体１ａと幅広部１ｃとを接続し、円形開口部１１ｂにおいて回動可能とされる。立ち基板本体１ａには、幅広部１ｃの側に向かって突出し、ジャンパー線１２ａ，１２ｂに接触する１対のランド３ａ，３ｂが設けられている。【選択図】        図４
2005026572.tif 000002
【特許請求の範囲】
【請求項１】
回路主基板に対して立ち基板を略垂直に取付けるための回路基板の取付け構造であって、
前記回路主基板は、
回路主基板本体と、
前記回路主基板本体に形成され、所定の開口径を有する円形開口部と、
前記回路主基板本体に形成され、前記円形開口部の中心を挟んで対向する前記円形開口部の周縁部分から、それぞれ前記円形開口部から径方向に遠ざかるように延在する長穴部と、
前記回路主基板本体の表面に形成された所定のジャンパー線と
を備え、
前記立ち基板は、
立ち基板本体と、
前記長穴部および前記円形開口部に挿通される所定の幅を有する幅広部と、
前記立ち基板本体と前記幅広部とを接続し前記円形開口部に挿通された状態で回動可能な首部と、
前記立ち基板本体に装着された発光ダイオードと、
前記立ち基板本体に形成され、前記幅広部の側に向かって突出し、前記発光ダイオードと電気的に接続されたランドと
を備え、
前記立ち基板は、前記立ち基板の前記幅広部と前記ランドとで前記回路主基板本体を挟み込んで、前記ランドが前記ジャンパー線に接触した状態で回動可能に前記回路主基板に取付けられた、回路基板の取付け構造。
【請求項２】
回路主基板に対して立ち基板を略垂直に取付けるための回路基板の取付け構造であって、
前記立ち基板は、
立ち基板本体と、
前記立ち基板本体の端部に設けられ、前記回路主基板を係止するための係止部と、
前記立ち基板本体に装着された素子と
を備え、
前記回路主基板は、
回路主基板本体と、
前記回路主基板本体に形成され、前記係止部を受け入れる所定の開口部と
を備え、
前記立ち基板は、前記係止部を所定の前記開口部に挿通することにより前記立ち基板本体を係止した状態で回動可能に前記回路主基板に取付けられた、回路基板の取付け構造。
【請求項３】
前記開口部は、
前記係止部が挿通される長穴部と、
前記係止部により前記回路主基板本体を係止した状態で前記立ち基板本体を回動可能にする円形開口部と
を含む、請求項２記載の回路基板の取付け構造。
【請求項４】
前記素子は発光素子であり、
前記回路主基板に形成されて前記発光素子と電気的に接続され、前記発光素子に電力を供給する導体線を備えた、請求項２または３に記載の回路基板の取付け構造。
【請求項５】
前記導体線は、前記開口部を挟んで一方と他方とに間隔を隔ててそれぞれ形成され、
前記立ち基板本体には、前記導体線のそれぞれに接触する所定の幅を有する電極部が設けられた、請求項４記載の回路基板の取付け構造。
【発明の詳細な説明】
【０００１】
【発明の属する技術分野】
本発明は回路基板の取付け構造に関し、特に、位置合わせの容易な回路基板の取り付け構造に関するものである。
【０００２】
【従来の技術】
ビデオデッキやＤＶＤ（Ｄｉｇｉｔａｌ  Ｖｅｒｓａｔｉｌｅ  Ｄｉｓｋ）プレーヤー等の電化製品においては、表示部分を発光させるために、たとえばＬＥＤ（Ｌｉｇｈｔ  Ｅｍｉｔｔｉｎｇ  Ｄｉｏｄｅ）の光を所定のプリズムを介して表示部分にまで導いている。
【０００３】
ＬＥＤは、主基板に対してほぼ垂直に立てるようにして取付けられる基板（以下、「立ち基板」と記す。）に装着される場合がある。そのような立ち基板を主基板に取付ける方法の一つが、特許文献１に開示されている。
【０００４】
特許文献１に開示された方法では、図７に示すように、立ち基板１０２には２又状の凸部１０４が設けられている。一方、主基板１０１にはその凸部１０４を受け入れる貫通孔１０３が設けられている。
【０００５】
凸部１０４を貫通孔１０３に挿通することで、図８に示すように、２又状の凸部１０４が貫通孔１０３に嵌合して、立ち基板１０２が主基板１０１に取付けられることになる。
【０００６】
【特許文献１】
実開昭６３−１３６３７７号公報
【０００７】
【発明が解決しようとする課題】
しかしながら、上述した基板の取付け構造では次のような問題点があった。ビデオデッキ等のデザイン上の変更に伴って、表示部分のレイアウトに変更が生じる場合がある。
【０００８】
このとき、ＬＥＤの光は表示部分の側に装着されたプリズムを介してその表示部分へ導かれるため、表示部分の位置が変わってしまうとプリズムの位置もそれに伴って変わってしまい、ＬＥＤの光を導くことができなくなる。
【０００９】
しかしながら、これを回避しようとしてＬＥＤの位置を新たなプリズムの位置にまで変えようとすると、上述した基板の取り付け構造では、ＬＥＤを搭載した立ち基板１０２が主基板１０１の所定の位置に嵌合されているために、容易にその位置を変えることができなかった。
【００１０】
本発明は上記問題点を解決するためになされたものであり、その目的は発光素子の位置合わせが容易な基板の取付け構造を提供することである。
【００１１】
【課題を解決するための手段】
本発明に係る基板の取付け構造は、回路主基板に対して立ち基板を略垂直に取付けるための回路基板の取付け構造である。その回路主基板は、回路主基板本体と円形開口部と長穴部とジャンパー線とを備えている。円形開口部は回路主基板本体に形成され、所定の開口径を有している。長穴部は回路主基板本体に形成され、円形開口部の中心を挟んで対向する円形開口部の周縁部分から、それぞれ円形開口部から径方向に遠ざかるように延在している。所定のジャンパー線は回路主基板本体の表面に形成されている。一方、立ち基板は、立ち基板本体と幅広部と首部と発光ダイオードとランドとを備えている。幅広部は、長穴部および円形開口部に挿通される所定の幅を有している。首部は、立ち基板本体と幅広部とを接続し円形開口部に挿通された状態で回動可能とされる。発光ダイオードは立ち基板本体に装着されている。ランドは立ち基板本体に形成され、幅広部の側に向かって突出し発光ダイオードと電気的に接続される。その立ち基板は、立ち基板の幅広部とランドとで回路主基板本体を挟み込んで、ランドがジャンパー線に接触した状態で回動可能に回路主基板に取付けられる。
【００１２】
この構造によれば、まず、立ち基板本体に設けられたランドと幅広部により回路主基板本体が挟み込まれることによって、立ち基板が回路主基板に対してほぼ垂直に取付けられることになる。さらに、立ち基板の首部が回路主基板本体に形成された円形開口部に挿通されることによって、立ち基板が回路主基板にほぼ垂直の状態で立ち基板が回路主基板に対して回動可能になる。これにより、たとえばデザイン上の変更に伴って発光ダイオードの位置を変える必要がある場合に、発光素子の位置合わせを比較的容易に行なうことができる。
【００１３】
本発明に係る他の基板の取付け構造は、回路主基板に対して立ち基板を略垂直に取付けるための回路基板の取付け構造である。その立ち基板は、立ち基板本体と係止部と素子とを備えている。係止部は立ち基板本体の端部に設けられ、回路主基板を係止する。素子は立ち基板本体に装着されている。一方、回路主基板は、回路主基板本体と所定の開口部とを備えている。所定の開口部は回路主基板本体に形成され、係止部を受け入れる。立ち基板は、係止部を所定の開口部に挿通することにより立ち基板本体を係止した状態で回動可能に回路主基板に取付けられる。
【００１４】
この構造によれば、立ち基板の係止部を回路主基板本体に形成された所定の開口部に挿通することにより、立ち基板本体を係止した状態で回動可能に立ち基板が回路主基板に取付けられる。これにより、たとえばデザイン上の変更に伴って立ち基板に装着される素子の位置を変える必要がある場合に、素子の位置合わせを比較的容易に行なうことができる。
【００１５】
その開口部は、係止部が挿通される長穴部と、係止部により回路主基板本体を係止した状態で立ち基板本体を回動可能にする円形開口部とを含むことが好ましい。
【００１６】
これにより、回路主基板本体を係止した状態で立ち基板を容易に回動させることができる。
【００１７】
また、具体的に、素子は発光素子であり、回路主基板に形成されて発光素子と電気的に接続され、発光素子に電力を供給する導体線を備えていることが好ましい。
【００１８】
さらに、その導体線は、開口部を挟んで一方と他方とに間隔を隔ててそれぞれ形成され、立ち基板本体には、導体線のそれぞれに接触する所定の幅を有する電極部が設けられていることが好ましい。
【００１９】
この場合には、電極部の幅や導体線の間隔を調整することによって、立ち基板を回動できる範囲に幅を持たせることができて、素子の位置変更に対してその対応がより容易になる。
【００２０】
【発明の実施の形態】
本発明の実施の形態に係る基板の取付け構造として、立ち基板の回路主基板への取付け構造について説明する。まず、図１に示すように、回路主基板１０では、回路主基板本体１０ａに所定の開口部１１が形成されている。
【００２１】
その開口部１１には、所定の開口径を有する円形開口部１１ｂと、その円形開口部１１ｂの中心を挟んで対向する円形開口部１１ｂの周縁部分から、それぞれ円形開口部１１ｂから径方向に遠ざかるように延在する長穴部１１ａとがある。
【００２２】
また、回路主基板本体１０ａの表面には、後述するＬＥＤに電力を供給するための１対のジャンパー線１２ａ，１２ｂが形成されている。
【００２３】
一方、図２に示すように、立ち基板１は立ち基板本体１ａ、幅広部１ｃおよび首部１ｂを有している。幅広部１ｃは、回路主基板１０に形成された長穴部１１ａおよび円形開口部１１ｂに挿通される所定の幅を有している。首部１ｂは立ち基板本体１ａと幅広部１ｃとを接続し、円形開口部１１ｂにおいて回動可能とされる。
【００２４】
また、立ち基板本体１ａには、幅広部１ｃの側に向かって突出し、立ち基板１が回路主基板１０に取り付けられた状態でジャンパー線１２ａ，１２ｂに接触する１対のランド３ａ，３ｂが設けられている。
【００２５】
さらに、立ち基板本体１ａには、表示パネル（図示せず）を発光させるためのＬＥＤ２が装着されている。ＬＥＤ２のリード端子２ａは、回路主基板１ａに設けられた一方のランド３ａに接続され、ＬＥＤ２の他のリード端子２ｂは、他方のランド３ｂに接続されている。
【００２６】
次に、立ち基板１の回路主基板１０への取付け手順について説明する。まず、図１に示される回路主基板本体１０ａに形成された長穴部１１ａに、立ち基板１の幅広部１ｃを挿通する。
【００２７】
次に、立ち基板１を回動させることにより、図３に示すように、立ち基板１に設けられたランド３ａをジャンパー線１２ａに接触させるとともに、ランド３ｂをジャンパー線１２ｂに接触させる。
【００２８】
そして、図４に示すように、表示パネル５ａに取付けられたプリズム６の端部の下にＬＥＤ２が位置するように立ち基板１の位置合わせを行なう。このようにして、立ち基板１が回路主基板１０に取付けられる。
【００２９】
上述した立ち基板１の回路主基板１０への取り付け構造によれば、まず、立ち基板１に設けられたランド３ａ，３ｂと幅広部１ｃにより回路主基板１０が挟み込まれることによって、立ち基板１が回路主基板１０にほぼ垂直に取付けられることになる。
【００３０】
さらに、立ち基板１の首部１ｂが回路主基板１０の円形開口部１１ｂに挿通されることによって、立ち基板１が回路主基板１０にほぼ垂直の状態で立ち基板１が回路主基板１０に対して回動可能になる。
【００３１】
これにより、たとえば表示パネル５ａのデザインに変更が生じた場合にプリズム６の位置が多少変更されるようなことがあっても、ＬＥＤ２の位置合わせを比較的容易に行なうことができる。このことについて説明する。
【００３２】
表示パネルとして、図４に示される当初の表示パネル５ａから図５に示される表示パネル５ｂにデザインの変更がされ、たとえば、表示パネル５ｂにおける表示部分５５ｂの位置が、当初の表示パネル５ａにおける表示部分５５ａの位置に比べて向かって右側に多少シフトしたとする。
【００３３】
これに伴って、表示部分５５ｂに繋がるプリズム６の端部も向かって右側に多少シフトすることになる。このとき、矢印３１に示す方向に立ち基板１を回動させて、ＬＥＤ２の位置を当初の位置に比べて右側にシフトさせることで、変更されたプリズム６の端部の下にＬＥＤ２を位置させることができる。
【００３４】
その結果、ＬＥＤ２の光をプリズム６を介して確実に表示部分５５ｂに導くことができる。
【００３５】
このように、上述した立ち基板１の回路主基板１０への取り付け構造では、たとえば表示パネルのデザインの変更に伴う表示部分の位置に多少の変更が生じた場合でも、立ち基板１を回動することで、ＬＥＤ２を変更されたプリズム６の端部の下に容易に配置させることができる。
【００３６】
なお、図６に示すように、立ち基板１は、ＬＥＤ２への電力の供給が可能なように立ち基板１に設けられたランド３ａ，３ｂが回路主基板１０に設けられたジャンパー線１２ａ，１２ｂに接触する範囲３３ａ，３３ｂで回動させる必要がある。
【００３７】
このことは、逆に、ランド３ａ，３ｂの幅やジャンパー線１２ａ，１２ｂの間隔を調整することによって、立ち基板１を回動できる範囲３３ａ，３３ｂに幅を持たせることができて、表示部分の変更に対してその対応がより容易になる。
【００３８】
また、上述した立ち基板１の回路主基板１０への取り付け構造では、ＬＥＤ２が上向きに配置される場合を例に挙げて説明したが、ＬＥＤが横向きに配置される場合にも適用することができる。
【００３９】
さらに、上述した実施の形態では、ビデオデッキを例に挙げて説明したが、この他に、セットトップボックスチューナ、ハードディスクドライブ装置、テレビ等へも適用することができる。
【００４０】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【００４１】
【発明の効果】
本発明に係る基板の取付け構造によれば、まず、立ち基板本体に設けられたランドと幅広部により回路主基板本体が挟み込まれることによって、立ち基板が回路主基板に対してほぼ垂直に取付けられることになる。さらに、立ち基板の首部が回路主基板本体に形成された円形開口部に挿通されることによって、立ち基板が回路主基板にほぼ垂直の状態で立ち基板が回路主基板に対して回動可能になる。これにより、たとえばデザイン上の変更に伴って発光ダイオードの位置を変える必要がある場合に、発光素子の位置合わせを比較的容易に行なうことができる。
【００４２】
本発明に係る他の基板の取付け構造によれば、立ち基板の係止部を回路主基板本体に形成された所定の開口部に挿通することにより、立ち基板本体を係止した状態で回動可能に立ち基板が回路主基板に取付けられる。これにより、たとえばデザイン上の変更に伴って立ち基板に装着される素子の位置を変える必要がある場合に、素子の位置合わせを比較的容易に行なうことができる。
【００４３】
その開口部は、係止部が挿通される長穴部と、係止部により回路主基板本体を係止した状態で立ち基板本体を回動可能にする円形開口部とを含むことが好ましく、これにより、回路主基板本体を係止した状態で立ち基板を容易に回動させることができる。
【００４４】
また、具体的に、素子は発光素子であり、回路主基板に形成されて発光素子と電気的に接続され、発光素子に電力を供給する導体線を備えていることが好ましい。
【００４５】
さらに、その導体線は、開口部を挟んで一方と他方とに間隔を隔ててそれぞれ形成され、立ち基板本体には、導体線のそれぞれに接触する所定の幅を有する電極部が設けられていることが好ましく、この場合には、電極部の幅や導体線の間隔を調整することによって、立ち基板を回動できる範囲に幅を持たせることができて、素子の位置変更に対してその対応がより容易になる。
【図面の簡単な説明】
【図１】本発明の実施の形態に係る回路基板の取り付け構造における回路主基板の部分斜視図である。
【図２】同実施の形態において、立ち基板の斜視図である。
【図３】同実施の形態において、立ち基板を回路主基板に取り付けた状態を示す側面図である。
【図４】同実施の形態において、回路主基板に取り付けられた立ち基板と表示パネルを示す第１の部分斜視図である。
【図５】同実施の形態において、回路主基板に取り付けられた立ち基板と表示パネルを示す第２の部分斜視図である。
【図６】同実施の形態において、立ち基板の回動範囲を示す部分平面図である。
【図７】従来の立ち基板と回路主基板を示す部分斜視図である。
【図８】従来の立ち基板を回路主基板に取付けた状態を示す部分斜視図である。
【符号の説明】
１  立ち基板、１ａ  立ち基板本体、１ｂ  首部、１ｃ  幅広部、２  ＬＥＤ、２ａ，２ｂ  リード端子、３ａ，３ｂ  ランド、５ａ，５ｂ  表示パネル、５５ａ，５５ｂ  表示部分、６  プリズム、１０  回路主基板、１０ａ  回路主基板本体、１１  開口部、１１ａ  長穴部、１１ｂ  円形開口部、１２ａ，１２ｂジャンパー線。
【図１】
2005026572.tif 000003
【図２】
2005026572.tif 000004
【図３】
2005026572.tif 000005
【図４】
2005026572.tif 000006
【図５】
2005026572.tif 000007
【図６】
2005026572.tif 000008
【図７】
2005026572.tif 000009
【図８】
2005026572.tif 000010